(57)【要約】【課題】物体側から順に、負の屈折力を有する第１レンズ群と、正の屈折力を有する第２レンズ群と、正の屈折力を有する第３レンズ群とからなる広角ズームレンズ系において、全焦点距離域で歪曲収差や非点隔差等の諸収差が良好に補正されているコンパクトな広角ズームレンズ系を提供する。【解決手段】短焦点距離端から長焦点距離端への変倍に際し、第１レンズ群と第２レンズ群の間隔及び第２レンズ群と第３レンズ群の間隔がそれぞれ縮小するように移動し、次の条件式（１）を満足することを特徴としている。（１）２．４５＜ｆ３／ｆｗ＜３．５但し、ｆ３：第３レンズ群の焦点距離、ｆｗ：短焦点距離端における全系の焦点距離、である。【選択図】図１
2010204647.tif 000002
【特許請求の範囲】
【請求項１】
物体側から順に、負の第１レンズ群、正の第２レンズ群、正の第３レンズ群からなり、短焦点距離端から長焦点距離端へのズーミングに際し、第１レンズ群と第２レンズ群の間隔及び第２レンズ群と第３レンズ群の間隔がそれぞれ縮小するように各レンズ群が移動し、次の条件式（１）を満足することを特徴とする広角ズームレンズ系。
（１）２．４５＜ｆ３／ｆｗ＜３．５
但し、
ｆ３：第３レンズ群の焦点距離、
ｆｗ：短焦点距離端における全系の焦点距離、
である。
【請求項２】
請求項１記載の広角ズームレンズ系において、次の条件式（２）を満足する広角ズームレンズ系。
（２）-０．７＜ｆ１／ｆ２＜-０．２
但し、
ｆ１：第１レンズ群の焦点距離、
ｆ２：第２レンズ群の焦点距離、
である。
【請求項３】
請求項１または２記載の広角ズームレンズ系において、第２レンズ群を像側に移動させて無限遠物体から近距離物体へのフォーカシングを行う広角ズームレンズ系。
【請求項４】
請求項１ないし３記載の広角ズームレンズ系において、第２レンズ群は、正の単レンズまたは全体として正の屈折力を有する接合レンズから構成されている広角ズームレンズ系。
【請求項５】
請求項１ないし４のいずれか１項記載の広角ズームレンズ系において、第１レンズ群は、空気間隔最大のところを境に分けられる、物体側の負の第１ａレンズ群と像側の正の第１ｂレンズ群から構成され、次の条件式（３）を満足する広角ズームレンズ系。
（３）０．６＜ｄ１a-b／ｆｗ＜１．３５
但し、
ｄ１a-b：第１ａレンズ群の最も像側の面と第１ｂレンズ群の最も物体側の面の空気間隔。
【請求項６】
請求項１ないし５のいずれか１項記載の広角ズームレンズ系において、第１レンズ群は、物体側から順に、像側に凹面を向けた負の第１レンズ、像側に凹面を向けた負の第２レンズ、及び物体側に凸面を向けた正の第３レンズから構成されている広角ズームレンズ系。
【請求項７】
請求項６記載の広角ズームレンズ系において、第１レンズ群内に含まれる負レンズは、少なくとも一面が非球面である広角ズームレンズ系。
【請求項８】
請求項１ないし７のいずれか１項記載の広角ズームレンズ系において、次の条件式（４）を満足する広角ズームレンズ系。
（４）２．９＜ｆ２／ｆｗ＜３．８
【請求項９】
請求項１ないし８のいずれか１項記載の広角ズームレンズ系において、第３レンズ群は、少なくとも２枚の負レンズと、少なくとも２枚の正レンズを含み、そのうちの負レンズと正レンズの各１枚は接合されている広角ズームレンズ系。
【請求項１０】
請求項１ないし９のいずれか１項記載の広角ズームレンズ系において、第３レンズ群は、物体側から順に、正負レンズの接合レンズ、負レンズ、及び少なくとも１枚の正レンズから構成されている広角ズームレンズ系。
【発明の詳細な説明】
【技術分野】
【０００１】
本発明は、短焦点距離端での画角が８０゜を超える、主に一眼レフカメラに用いられる広角ズームレンズ系に関する。
【背景技術】
【０００２】
短焦点距離端での画角が８０゜を超える広角ズームレンズ系は、物体側から順に負正のレンズ群を配置したレトロフォーカス型が一般的に採用されている。一般にレトロフォーカス型は、一眼レフカメラのレフミラーの構造条件を満たすような長いバックフォーカスを確保し、かつレンズ全長をコンパクトに保つために、各レンズ群の屈折力を強く与えなければならない。しかし、各レンズ群の屈折力を強く与えると、短焦点距離端の歪曲収差、像面湾曲、非点隔差等の諸収差を良好に補正することが困難であった。
【０００３】
近年の一眼レフカメラ用交換レンズでは、オートフォーカスに対応して高速なフォーカシングが要求されている。従来の広角ズームレンズ系のフォーカシング方式は第１レンズ群を繰り出す、第１群繰り出し方式が一般的に採用されていた。しかし、高速なフォーカシングが可能なオートフォーカスレンズを得るためには、フォーカシング群の重量が軽い方がよい。
【先行技術文献】
【特許文献】
【０００４】
【特許文献１】特開2000-131611号公報
【特許文献２】特開2000-131612号公報
【特許文献３】特開平8-248312号公報
【発明の概要】
【発明が解決しようとする課題】
【０００５】
特許文献１と特許文献２は、第１レンズ群で発生した歪曲収差を第２レンズ群以降で補正しきれず、短焦点距離端での歪曲収差が残存している。また、フォーカシングを第１レンズ群で行っており、高速なフォーカシングには不適である。
【０００６】
特許文献３も短焦点距離端での歪曲収差が多く残存している。またフォーカシングについては、その実施例１、３、５は３枚、実施例７は２枚、実施例４は１枚をフォーカシング群に使用している。実施例１、３、５は、第１群繰り出し方式と比べれば、レンズ径も小さくなり高速なフォーカシングは可能である。しかし、第１、第３及び第５実施例におけるレンズ径の減少及び高速フォーカシングがなされる程度は、第４及び第７実施例に比べると、不十分である。実施例７や実施例４は枚数、フォーカシングの位置からして高速なフォーカシングは十分に可能である。しかし、フォーカシングの稼動スペースが狭く、最短撮影距離が長くなってしまう。また、実施例７は最も物体側に凸レンズを配置しており、レンズ径が大きい。
【０００７】
本発明は、全焦点距離域で歪曲収差や非点隔差等の諸収差が良好に補正されているコンパクトな広角ズームレンズ系を提供することを目的とする。
また本発明は、インナーフォーカス方式を採用することでフォーカシングによる収差変動を最小限に抑え、かつ短い最短撮影距離を実現した広角ズームレンズ系を得ることを目的とする。
【課題を解決するための手段】
【０００８】
本発明の広角ズームレンズ系は、物体側から順に、負の第１レンズ群、正の第２レンズ群、正の第３レンズ群からなり、短焦点距離端から長焦点距離端へのズーミングに際し、第１レンズ群と第２レンズ群の間隔及び第２レンズ群と第３レンズ群の間隔がそれぞれ縮小するように各レンズ群が移動し、次の条件式（１）を満足することを特徴としている。
（１）２．４５＜ｆ３／ｆｗ＜３．５
但し、
ｆ３：第３レンズ群の焦点距離、
ｆｗ：短焦点距離端における全系の焦点距離、
である。
【０００９】
本発明の広角ズームレンズ系は、次の条件式（２）を満足すると好ましい。
（２）-０．７＜ｆ１／ｆ２＜-０．２
但し、
ｆ１：第１レンズ群の焦点距離、
ｆ２：第２レンズ群の焦点距離、
である。
【００１０】
第２レンズ群を像側に移動させて無限遠物体から近距離物体へのフォーカシングを行うのが実際的である。また、第２レンズ群は、正の単レンズまたは全体として正の屈折力を有する接合レンズから構成することができる。
【００１１】
第１レンズ群は、空気間隔最大のところを境に分けられる、物体側の負の第１ａレンズ群と像側の正の第１ｂレンズ群から構成され、次の条件式（３）を満足することが好ましい。
（３）０．６＜ｄ１a-b／ｆｗ＜１．３５
但し、
ｄ１a-b：第１ａレンズ群の最も像側の面と第１ｂレンズ群の最も物体側の面の空気間隔、
である。
【００１２】
第１レンズ群は、物体側から順に、像側に凹面を向けた負の第１レンズ、像側に凹面を向けた負の第２レンズ、及び物体側に凸面を向けた正の第３レンズから構成することができる。また、第１レンズ群内に含まれる負レンズは、少なくとも一面が非球面とすることができる。
【００１３】
上記態様の広角ズームレンズ系において、次の条件式（４）を満足することが好ましい。
（４）２．９＜ｆ２／ｆｗ＜３．８
【００１４】
第３レンズ群は、少なくとも２枚の負レンズと、少なくとも２枚の正レンズを含み、そのうちの負レンズと正レンズの各１枚は接合されていることが好ましい。また、第３レンズ群は、物体側から順に、正負レンズの接合レンズ、負レンズ、及び少なくとも１枚の正レンズから構成されていることが好ましい。
【発明の効果】
【００１５】
本発明によれば、全焦点距離域で歪曲収差や非点隔差等の諸収差が良好に補正されているコンパクトな広角ズームレンズ系を得ることができる。また、第２レンズ群をフォーカシング群としたインナーフォーカス方式を採用することでフォーカシングによる収差変動を最小限に抑え、かつ短い最短撮影距離を実現したズームレンズ系を得ることができる。
【図面の簡単な説明】
【００１６】
【図１】本発明によるズームレンズ系の数値実施例１の短焦点距離端無限遠物体合焦時のレンズ構成図である。
【図２】図１のレンズ構成の諸収差図である。
【図３】図１のレンズ構成の横収差図である。
【図４】同数値実施例１の長焦点距離端無限遠物体合焦時のレンズ構成図である。
【図５】図４のレンズ構成の諸収差図である。
【図６】図４のレンズ構成の横収差図である。
【図７】本発明によるズームレンズ系の数値実施例２の短焦点距離端無限遠物体合焦時のレンズ構成図である。
【図８】図７のレンズ構成の諸収差図である。
【図９】図７のレンズ構成の横収差図である。
【図１０】同数値実施例２の長焦点距離端無限遠物体合焦時のレンズ構成図である。
【図１１】図１０のレンズ構成の諸収差図である。
【図１２】図１０のレンズ構成の横収差図である。
【図１３】本発明によるズームレンズ系の数値実施例３の短焦点距離端無限遠物体合焦時のレンズ構成図である。
【図１４】図１３のレンズ構成の諸収差図である。
【図１５】図１３のレンズ構成の横収差図である。
【図１６】同数値実施例３の長焦点距離端無限遠物体合焦時のレンズ構成図である。
【図１７】図１６のレンズ構成の諸収差図である。
【図１８】図１６のレンズ構成の横収差図である。
【図１９】本発明によるズームレンズ系の数値実施例４の短焦点距離端無限遠物体合焦時のレンズ構成図である。
【図２０】図１９のレンズ構成の諸収差図である。
【図２１】図１９のレンズ構成の横収差図である。
【図２２】同数値実施例４の長焦点距離端無限遠物体合焦時のレンズ構成図である。
【図２３】図２２のレンズ構成の諸収差図である。
【図２４】図２２のレンズ構成の横収差図である。
【図２５】本発明によるズームレンズ系の数値実施例５の短焦点距離端無限遠物体合焦時のレンズ構成図である。
【図２６】図２５のレンズ構成の諸収差図である。
【図２７】図２５のレンズ構成の横収差図である。
【図２８】同数値実施例５の長焦点距離端無限遠物体合焦時のレンズ構成図である。
【図２９】図２８のレンズ構成の諸収差図である。
【図３０】図２８のレンズ構成の横収差図である。
【図３１】本発明によるズームレンズ系の数値実施例６の短焦点距離端無限遠物体合焦時のレンズ構成図である。
【図３２】図３１のレンズ構成の諸収差図である。
【図３３】図３１のレンズ構成の横収差図である。
【図３４】同数値実施例６の長焦点距離端無限遠物体合焦時のレンズ構成図である。
【図３５】図３４のレンズ構成の諸収差図である。
【図３６】図３４のレンズ構成の横収差図である。
【図３７】本発明によるズームレンズ系の数値実施例７の短焦点距離端無限遠物体合焦時のレンズ構成図である。
【図３８】図３７のレンズ構成の諸収差図である。
【図３９】図３７のレンズ構成の横収差図である。
【図４０】同数値実施例７の長焦点距離端無限遠物体合焦時のレンズ構成図である。
【図４１】図４０のレンズ構成の諸収差図である。
【図４２】図４０のレンズ構成の横収差図である。
【図４３】本発明によるズームレンズ系の簡易移動図である。
【発明を実施するための形態】
【００１７】
本実施形態は、長焦点距離端（Ｌ）においても画角が７０゜を超える風景用広角ズームレンズ系であって、図４３の簡易移動図に示すように、物体側から順に、負の屈折力の第１レンズ群１０、正の屈折力の第２レンズ群２０、絞りＳ及び正の屈折力の第３レンズ群３０からなり、短焦点距離端（Ｓ）から中間焦点距離（Ｍ）を経て長焦点距離端（Ｌ）へ至る変倍（ズーミング）に際し、第１レンズ群１０と第２レンズ群２０の間隔及び第２レンズ群２０と第３レンズ群３０の間隔が減少するように移動する。より具体的には、第１レンズ群１０は像側に単調に移動し、第２レンズ群２０と第３レンズ群３０は単調に物体側に移動する。絞りＳは第３レンズ群３０と一緒に移動する。フォーカシングは第２レンズ群２０で行う。Ｉは像面である。
【００１８】
本実施形態の広角レンズ系の各レンズ群の構成及び役割は大きく次の通りである。第１レンズ群１０は歪曲収差を抑えながら負の屈折力を得るために、少なくとも１枚の正レンズを含む複数のレンズから構成するとよい。
また、歪曲収差を補正するには、最も物体側に正レンズ（凸レンズ）を配置するのがよいが最も物体側に正レンズを配置するとレンズ径が大きくなる欠点がある。これを回避するために最も物体側には負レンズを配置し、第１レンズ群中の少なくともいずれかの負レンズに非球面を含ませるとよい。その非球面は光軸から離れるにしたがって負の屈折力を弱めるような非球面にすれば、この非球面にて正の歪曲収差を発生させ、第１レンズ群１０で発生が顕著である負の歪曲収差を良好に補正することができる。また、その非球面は、製造コスト等を考えると、ガラスレンズに樹脂非球面層を付着させた複合（ハイブリッド）型非球面が好ましい。
フォーカシング群である第２レンズ群２０には、第１レンズ群１０で残存した歪曲収差や非点収差を補正するために、最低限正レンズ１枚を含ませるとよい。さらにフォーカシングによる収差変動は負レンズを１枚配置して補正できる。より良好に補正を行うには、全体として正の屈折力を有する、正レンズと負レンズの接合レンズを用いるのがよい。
第３レンズ群３０には、軸外収差に与える影響を小さく保ったまま全系で発生する球面収差を補正するために、負レンズを配置して負の球面収差を発生させ、さらに第３レンズ群３０で強い正のパワーを与えたときに、球面収差やコマ収差などの発生を抑えるために少なくとも２枚の正レンズを配置することが望ましい。少なくとも２枚の正レンズのうち、１枚の正レンズは負レンズと接合することにより、高次の球面収差を良好に補正することができる。
【００１９】
より具体的な各レンズ群の構成を説明する。図１（図４）、図７（図１０）、図１３（図１６）、図１９（図２２）、図２５（図２８）、図３１（図３４）及び図３７（図４０）の各実施例に示すように、負の屈折力の第１レンズ群１０は、物体側から順に、像側に凹面を向けた負メニスカスレンズ１１、像側に凹面を向けた負メニスカスレンズ１２及び物体側に凸面を向けた正メニスカスレンズ１３からなっている。第１レンズ群１０の第２レンズ１２は、ガラスレンズの像側にプラスチック非球面を付着させたハイブリッドレンズからなっている。非球面は、第１レンズ群１０中に含まれる負レンズのいずれかに設けることができる。第１レンズ群１０はまた、空気間隔最大のところを境に物体側の負の第１ａレンズ群と像側の正の第１ｂレンズ群に分けることができる。各実施例では、物体側の２枚の負メニスカスレンズ１１と１２が第１ａレンズ群を構成し、正メニスカスレンズ１３が第１ｂレンズ群を構成している。
【００２０】
正の屈折力の第２レンズ群２０は、図１（図４）、図７（図１０）、図１３（図１６）、図２５（図２８）及び図３１（図３４）の各実施例では、物体側から順に位置する像側に凹面を向けた負メニスカスレンズ２１と両凸正レンズ２２を接合した接合レンズからなり、図１９（図２２）と図３７（図４０）の各実施例では、正の単レンズ２３からなっている。
【００２１】
正の屈折力の第３レンズ群３０は、図１（図４）、図７（図１０）、図１３（図１６）及び図３１（図３４）の各実施例では、物体側から順に、物体側から順に位置する両凸正レンズ３１と両凹負レンズ３２の接合レンズと、物体側から順に位置する像側に凹面を向けた負メニスカスレンズ３３と両凸正レンズ３４の接合レンズからなっており、図２５（図２８）の実施例では、物体側から順に、物体側から順に位置する両凸レンズ３１と像側に凸面を向けた負メニスカスレンズ３２の接合レンズと、負メニスカスレンズ３３と両凸正レンズ３４からなっている。また、図１９（図２２）及び図３７（図４０）の各実施例では、物体側から順に、物体側から順に位置する両凸正レンズ３１と像側に凸面を向けた負メニスカスレンズ３２の接合レンズと、負単レンズ３３と、正単レンズ３４と、正単レンズ３５とからなっている。つまり、第３レンズ群３０は、少なくとも２枚の負レンズと、少なくとも２枚の正レンズを含み、少なくとも負レンズと正レンズの各１枚は接合レンズで構成されている。また、第３レンズ群３０は、物体側から順に、正負レンズの接合レンズ、負レンズ、少なくとも１枚の正レンズから構成されている。接合レンズの正負の順は問わない。
【００２２】
条件式（１）は、第３レンズ群の屈折力に関する条件である。条件式（１）の下限を超えると、第３レンズ群の屈折力が強くなり、球面収差が補正不足になる。また、画面周辺部にかけて非点隔差が大きくなってしまう。条件式（１）の上限を超えると、第３レンズ群の屈折力が弱くなり、正の球面収差やコマ収差が発生するため好ましくない。好ましくは、次の条件式（１'）を満足するのがよい。
（１'）２．４５＜ｆ３／ｆｗ＜３．２
【００２３】
条件式（２）は、第１レンズ群と第２レンズ群の屈折力のバランスに関する条件である。条件式（２）の下限を超えると、第２レンズ群のパワーが強まり、球面収差の悪化、前玉径の増大、あるいはバックフォーカスの不足が発生し好ましくない。条件式（２）の上限を超えると、第１レンズ群のパワーが強まり、像面湾曲や非点収差が悪化し、第２レンズ群以降での補正が困難となる。好ましくは、次の条件式（２'）を満足するのがよい。
（２'）-０．５３＜ｆ１／ｆ２＜-０．３８
【００２４】
条件式（３）は、第１レンズ内の屈折力のバランスに関するものである。条件式（３）の下限を超えると、第１ａレンズ群による歪曲収差の補正が困難になる。条件式（３）の上限を超えると、第１ｂレンズ群の正のパワーを強くしなくてはならず、そうすると第１ｂレンズ群で発生する球面収差の補正が困難になる。
【００２５】
条件式（４）は、フォーカスレンズ群である第２レンズ群の屈折力に関する条件であり、フォーカシングの移動距離を短くしながら、短い最短撮影距離を実現するための条件である。条件式（４）の下限を超えると、第２レンズ群の屈折力が強くなり、バックフォーカスの確保が困難になるばかりでなく、画面周辺部にかけて非点隔差が大きくなってしまう。条件式（４）の上限を超えると、第２レンズ群の屈折力が弱くなり、レンズ全長が長くなってしまう。また、第１レンズ群で発生した歪曲収差が補正しきれずに残存し、近距離での収差変動が大きく好ましくない。
【００２６】
次に具体的な数値実施例を示す。諸収差図及び表中、球面収差で表される色収差（軸上色収差）図及び倍率色収差図中のｄ線、ｇ線、C線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長（第１面から像面までの距離）、ｒは曲率半径、ｄはレンズ厚またはレンズ間隔、Ｎｄ はｄ線の屈折率、νはアッベ数を示す。FNO.、f、W、、Y、fB、L及び変倍に伴って間隔が変化するレンズ間隔の値（ｄ値）は、短焦点距離端-中間焦点距離-長焦点距離端の順に示している。
また、回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２７】
［数値実施例１］
図１ないし図６と表１は、本発明のズームレンズ系の数値実施例１を示している。図１は、短焦点距離端無限遠物体合焦時のレンズ構成図、図２と図３はそれぞれ、図１のレンズ構成における諸収差図と横収差図、図４は、長焦点距離端無限遠物体合焦時のレンズ構成図、図５と図６はそれぞれ、図４のレンズ構成における諸収差図と横収差図、表１はその数値データである。
【００２８】
負の屈折力の第１レンズ群１０（面No.１〜７）は、物体側から順に、像側に凹面を向けた負メニスカスレンズ１１、像側に凹面を向けた負メニスカスレンズ１２及び物体側に凸面を向けた正メニスカスレンズ１３からなっている。正の屈折力の第２レンズ群２０（面No.８〜１０）は、物体側から順に位置する像側に凹面を向けた負メニスカスレンズ２１と両凸正レンズ２２を接合した接合レンズからなっている。正の屈折力の第３レンズ群３０（面No.１２〜１８）は、物体側から順に位置する両凸正レンズ３１と両凹負レンズ３２の接合レンズと、物体側から順に位置する物体側に凸の負メニスカスレンズ３３と両凸正レンズ３４の接合レンズからなっている。第１レンズ群１０の負メニスカスレンズ１２は、ガラスレンズの像側の面にプラスチックの非球面層を付着させたハイブリッドレンズであり、第３レンズ群３０の負メニスカスレンズ３３は、ガラスレンズの物体側の面にプラスチックの非球面層を付着させたハイブリッドレンズである。
【００２９】
（表１）
FNO.=1：4.0 - 4.1 - 4.3
f = 16.50 - 18.20 - 20.01（変倍比=1.21）
W = 40.8 - 38.1 - 35.5
Y = 14.24 - 14.24 - 14.24
fB = 37.78 - 40.14 - 42.68
L = 107.72 - 106.54 - 106.05
D7 = 13.987 - 9.961 - 6.373
D10 = 6.486 - 6.980 - 7.535
面No.            r         d          Nd       ν
1           33.449     1.455     1.77250     49.6
2           17.193     4.984
3           32.577     1.423     1.80400     46.6
4           14.924     0.224     1.52972     42.7
5*          11.296    14.085
6           35.539     3.192     1.80518     25.4
7           66.688        D7
8           23.543     1.516     1.80400     46.6
9           14.014     4.977     1.58144     40.7
10       -2510.419       D10
11絞            ∞     1.160
12          28.475     4.486     1.49700     81.6
13         -28.475     2.155     1.80610     40.9
14         171.058     5.000
15*        182.011     0.200     1.52972     42.7
16         188.635     1.675     1.80518     25.4
17          30.064     2.932     1.48749     70.2
18         -18.025       -
＊は非球面を表す。
非球面データ（表示していない非球面係数は0.00である。）；
K           A4                 A6                  A8
NO.5     -1.000   -0.4389×10-5       -0.3818×10-7       -0.4000×10-9
NO.15     0.000   -0.3922×10-4
ズームレンズ系群データ
群    始面    焦点距離
1       1      -22.65
2       8       52.81
3      12       45.30
有限距離におけるレンズデータ
無限遠                     最短距離
撮影倍率         0          -0.02          -0.14
S       BF            37.78 
D7            13.987        14.619         18.453
D10            6.486         5.853          2.019
倍率             0          -0.02          -0.154
M       BF            40.14 
D7             9.961        10.534         14.325
D10            6.98          6.407          2.616
倍率             0          -0.02          -0.169
L       BF            42.68 
D7             6.373         6.886         10.711
D10            7.535         7.022          3.197
【００３０】
［数値実施例２］
図７ないし図１２と表２は、本発明のズームレンズ系の数値実施例２を示している。図７は、短焦点距離端無限遠物体合焦時のレンズ構成図、図８と図９はそれぞれ、図７のレンズ構成における諸収差図と横収差図、図１０は、長焦点距離端無限遠物体合焦時のレンズ構成図、図１１と図１２はそれぞれ、図１０のレンズ構成における諸収差図と横収差図、表２はその数値データである。基本的なレンズ構成は、数値実施例１と同様である。
（表２）
FNO.=1：3.9 - 4.1 - 4.3
f = 16.01 - 18.00 - 20.05（変倍比=1.25）
W = 41.7 - 38.4 - 35.4
Y = 14.24 - 14.24 - 14.24
fB = 38.94 - 41.74 - 44.67
L = 116.94 - 115.12 - 114.32
D7 = 14.576 - 9.219 - 4.751
D10 = 7.769 - 8.512 - 9.254
面No.            r           d             Nd           ν
1           29.459       1.600        1.77250         49.6
2           17.093       6.500
3           36.085       1.480        1.80400         46.6
4           15.898       0.240        1.52972         42.7
5*          12.050      19.520
6           39.688       3.020        1.80518         25.4
7           64.938          D7
8           28.090       1.300        1.80400         46.6
9           16.614       4.120        1.58144         40.7
10        -221.111         D10
11絞            ∞       1.330
12          26.525       4.960        1.49700         81.6
13         -26.525       1.470        1.74100         52.7
14          79.199       4.240
15*         79.160       0.200        1.52972         42.7
16          62.742       2.020        1.80518         25.4
17          19.896       3.650        1.48749         70.2
18         -19.896           -
＊は非球面を表す。
非球面データ（表示していない非球面係数は0.00である。）；
K          A4                  A6                  A8
NO.5   -1.000    -0.2418×10-5       -0.1166E×10-7       -0.4000×10-9
NO.15   0.000    -0.2261×10-4
ズームレンズ系群データ
群    始面    焦点距離
1       1      -23.45
2       8       55.64
3      12       51.08
有限距離におけるレンズデータ
無限遠                          最短距離
撮影倍率         0            -0.02             -0.143
S       BF            38.94 
D7            14.576          15.303            19.881
D10            7.769           7.042             2.464
倍率             0            -0.02             -0.16
M       BF            41.74
D7             9.219           9.841            14.251
D10            8.512           7.89              3.48
倍率             0            -0.02             -0.178
L       BF            44.67
D7             4.751           5.302             9.675
D10            9.254           8.704             4.331
【００３１】
［数値実施例３］
図１３ないし図１８と表３は、本発明のズームレンズ系の数値実施例３を示している。図１３は、短焦点距離端無限遠物体合焦時のレンズ構成図、図１４と図１５はそれぞれ、図１３のレンズ構成における諸収差図と横収差図、図１６は、長焦点距離端無限遠物体合焦時のレンズ構成図、図１７と図１８はそれぞれ、図１６のレンズ構成における諸収差図と横収差図、表３はその数値データである。基本的なレンズ構成は、数値実施例１と同様である。
（表３）
FNO.=1：3.9 - 4.1 - 4.3
f = 16.20 - 18.01 - 20.02（変倍比=1.24）
W = 41.4 - 38.4 - 35.5
Y = 14.24 - 14.24 - 14.24
fB = 37.64 - 40.13 - 42.93
L = 118.05 - 115.95 - 114.57
D7 = 14.120 - 9.075 - 4.500
D10 = 8.200 - 8.656 - 9.055
面No.             r           d             Nd           ν
1            36.900       1.450        1.69680         55.5
2            17.093       6.480
3            32.580       1.460        1.77250         49.6
4            16.900       0.240        1.52972         42.7
5*           12.790      21.740
6            41.300       2.850        1.80518         25.5
7            63.450          D7
8            30.339       1.470        1.80420         46.5
9            17.593       3.890        1.58144         40.9
10         -254.587         D10
11絞             ∞       1.330
12           20.131       5.630        1.49700         81.6
13          -46.161       1.500        1.80450         39.6
14           54.850       4.200
15*          56.536       0.120        1.52972         42.7
16           54.665       2.020        1.80610         33.3
17           16.161       3.710        1.48749         70.4
18          -22.737           -
＊は非球面を表す。
非球面データ（表示していない非球面係数は0.00である。）；
K           A4                 A6                 A8
NO. 5  -1.000     -0.1274×10-5      -0.4179×10-7       -0.2750×10-9
NO.15   0.000     -0.2192×10-4
ズームレンズ系群データ
群    始面    焦点距離
1       1      -24.28
2       8       61.45
3      12       51.35
有限距離におけるレンズデータ
無限遠                         最短距離
撮影倍率         0            -0.02           -0.147
S       BF            37.64
D7            14.12           14.87           19.724
D10            8.2             7.45            2.596
倍率             0            -0.02           -0.162
M       BF            40.13
D7             9.075           9.735          14.457
D10            8.656           7.996           3.274
倍率             0            -0.02           -0.179
L       BF            42.93 
D7             4.5            5.089            9.779
D10            9.055          8.466            3.776
【００３２】
［数値実施例４］
図１９ないし図２４と表４は、本発明のズームレンズ系の数値実施例４を示している。図１９は、短焦点距離端無限遠物体合焦時のレンズ構成図、図２０と図２１はそれぞれ、図１９のレンズ構成における諸収差図と横収差図、図２２は、長焦点距離端無限遠物体合焦時のレンズ構成図、図２３と図２４はそれぞれ、図２２のレンズ構成における諸収差図と横収差図、表４はその数値データである。第１レンズ群１０の構成は、数値実施例１と同様であるが、第２レンズ群２０（面No.８〜９）が正単レンズ２３からなる点、及び第３レンズ群３０（面No.１２〜１９）が、物体側から順に、正レンズ３１と負レンズ３２の接合レンズと、負単レンズ３３と、正単レンズ３４と、正単レンズ３５とからなっている点が、数値実施例１とは異なる。また、第３レンズ群３０中に非球面は存在しない。
（表４）
FNO.=1：4.0 - 4.1 - 4.3
f = 16.27 - 17.99 - 20.06（変倍比=1.23）
W = 41.2 - 38.4 - 35.4
Y = 14.24 - 14.24 - 14.24
fB = 37.31 - 39.37 - 41.93
L = 101.54 - 100.06 - 99.08
D7 = 12.731 - 8.112 - 3.471
D9 = 8.639 - 9.725 - 10.834
面No.             r           d             Nd           ν
1            35.758       1.347        1.69680         55.5
2            14.485       5.773
3            28.719       1.381        1.80420         46.5
4            16.255       0.224        1.52972         42.7
5*           11.700      11.526
6            38.471       2.940        1.80518         25.5
7           128.668          D7
8            46.545       2.926        1.70154         41.2
9          -181.784          D9
10絞             ∞       1.360
11           25.119       3.202        1.49700         81.6
12          -16.746       1.200        1.80420         46.5
13         -648.376       3.500
14         -127.802       1.500        1.80610         33.3
15           27.885       0.489
16           49.883       3.442        1.48749         70.4
17          -18.144       0.000
18          876.856       2.042        1.48749         70.4
19          -29.727           -
＊は非球面を表す。
非球面データ（表示していない非球面係数は0.00である。）；
K           A4                  A6                 A8
NO. 5    -1.000   -0.1572×10-4       -0.8866×10-7       -0.7099×10-9
ズームレンズ系群データ
群    始面    焦点距離
1       1      -25.59
2       8       53.10
3      11       42.52
有限距離におけるレンズデータ
無限遠                     最短距離
撮影倍率         0           -0.02         -0.129
S       BF            37.31 
D7            12.731         13.568        18.224
D9             8.639          7.801         3.145
倍率             0           -0.02         -0.142
M       BF            39.37 
D7             8.112          8.849        13.397
D9             9.725          8.988         4.44
倍率             0           -0.02         -0.159
L       BF            41.93
D7             3.471          4.116         8.66
D9            10.834         10.189         5.646
【００３３】
［数値実施例５］
図２５ないし図３０と表５は、本発明のズームレンズ系の数値実施例５を示している。図２５は、短焦点距離端無限遠物体合焦時のレンズ構成図、図２６と図２７はそれぞれ、図２５のレンズ構成における諸収差図と横収差図、図２８は、長焦点距離端無限遠物体合焦時のレンズ構成図、図２９と図３０はそれぞれ、図２８のレンズ構成における諸収差図と横収差図、表５はその数値データである。第３レンズ群３０のレンズ３２が像側に凸面を向けた負メニスカスレンズである点、負メニスカスレンズ３３と両凸正レンズ３４が接合されていない点、負メニスカスレンズ３３には非球面が存在せず、両凸正レンズ３４の像側の面が非球面である点を除き、基本的なレンズ構成は、数値実施例１と同様である。
（表５）
FNO.=1：4.0 - 4.1 - 4.3
f = 16.50 - 18.00 - 20.00（変倍比=1.21）
W = 40.8 - 38.3 - 35.5
Y = 14.24 - 14.24 - 14.24
fB = 37.17 - 39.18 - 41.90
L = 103.89 - 102.75 - 102.07
D7 = 14.023 - 10.609 - 6.809
D10 = 5.616 - 5.884 - 6.291
面No.             r           d             Nd           ν
1            28.402       1.337        1.77250         49.6
2            15.482       5.544
3            29.120       1.407        1.80400         46.6
4            14.115       0.224        1.52972         42.7
5*           10.670      10.954
6            24.855       2.806        1.84666         23.8
7            38.900          D7
8            30.024       1.548        1.76067         50.4
9            15.607       4.691        1.56728         42.7
10         -121.552         D10
11絞             ∞       1.360
12           29.821       4.497        1.49700         81.6
13          -19.829       2.234        1.80610         40.9
14         -176.560       5.146
15           62.596       2.171        1.84666         23.8
16           24.664       0.554
17           42.425       2.604        1.58636         60.9
18*         -21.710           -
＊は非球面を表す。
非球面データ（表示していない非球面係数は0.00である。）；
K           A4                 A6                A8
NO. 5     -1.000   0.3373×10-5      -0.2414×10-7      -0.9047×10-9
NO.18      0.000   0.1015×10-4
ズームレンズ系群データ
群    始面    焦点距離
1       1      -22.43
2       8       56.82
3      12       40.58
有限距離におけるレンズデータ
無限遠                     最短距離
撮影倍率         0          -0.02          -0.137
S       BF            37.17 
D7            14.023        14.633         18.186
D10            5.616         5.006          1.453
倍率             0          -0.02          -0.148
M       BF            39.18
D7            10.609        11.159         14.759
D10            5.884         5.334          1.734
倍率             0          -0.02          -0.165
L       BF            41.9 
D7             6.809         7.312           11
D10            6.291         5.788          2.1
【００３４】
［数値実施例６］
図３１ないし図３６と表６は、本発明のズームレンズ系の数値実施例６を示している。図３１は、短焦点距離端無限遠物体合焦時のレンズ構成図、図３２と図３３はそれぞれ、図３１のレンズ構成における諸収差図と横収差図、図３４は、長焦点距離端無限遠物体合焦時のレンズ構成図、図３５と図３６はそれぞれ、図３１のレンズ構成における諸収差図と横収差図、表６はその数値データである。基本的なレンズ構成は、数値実施例１と同様である。
（表６）
FNO.=1：3.9 - 4.1 - 4.3
f = 16.00 - 18.00 - 20.05（変倍比=1.25）
W = 41.7 - 38.4 - 35.4
Y = 14.24 - 14.24 - 14.24
fB = 38.74 - 41.48 - 44.37
L = 113.28 - 111.58 - 110.85
D7 = 14.740 - 9.343 - 4.816
D10 = 7.334 - 8.291 - 9.204
面No.             r           d             Nd           ν
1            30.430       1.481        1.77250         49.6
2            16.858       5.926
3            33.236       1.505        1.80400         46.6
4            15.170       0.224        1.52972         42.7
5*           11.663      17.528
6            37.723       3.037        1.80518         25.4
7            67.401          D7
8            26.739       1.300        1.80400         46.6
9            15.883       4.105        1.58144         40.7
10        -1104.964         D10
11絞             ∞       1.160
12           25.887       4.892        1.49700         81.6
13          -25.887       1.273        1.74100         52.7
14           86.911       4.500
15*          71.598       0.200        1.52972         42.7
16           60.214       1.682        1.80518         25.4
17           19.802       3.655        1.48749         70.2
18          -19.802           -
＊は非球面を表す。
非球面データ（表示していない非球面係数は0.00である。）；
K            A4                A6                 A8
NO.5      -1.000   -0.2641×10-5     -0.3870×10-7       -0.4000×10-9
NO.15      0.000   -0.2470×10-4
ズームレンズ系群データ
群    始面    焦点距離
1       1      -23.80
2       8       59.34
3      12       47.04
有限距離におけるレンズデータ
無限遠                     最短距離
撮影倍率         0           -0.02         -0.141
S       BF            38.74 
D7            14.74          15.46         19.859
D10           7.334           6.614         2.215
倍率             0           -0.02         -0.157
M       BF           41.48 
D7            9.343           9.973        14.312
D10           8.291           7.66          3.322
倍率             0           -0.02         -0.175
L       BF           44.37 
D7            4.816           5.382         9.756
D10           9.204           8.638         4.263
【００３５】
［数値実施例７］
図３７ないし図４２と表７は、本発明のズームレンズ系の数値実施例７を示している。図３７は、短焦点距離端無限遠物体合焦時のレンズ構成図、図３８と図３９はそれぞれ、図３７のレンズ構成における諸収差図と横収差図、図４０は、長焦点距離端無限遠物体合焦時のレンズ構成図、図４１と図４２はそれぞれ、図４０のレンズ構成における諸収差図と横収差図、表７はその数値データである。基本的なレンズ構成は、数値実施例４と同様である。
（表７）
FNO.=1：4.0 - 4.1 - 4.3
f = 16.27 - 17.99 - 20.02（変倍比=1.23）
W = 41.3 - 38.5 - 35.5
Y = 14.24 - 14.24 - 14.24
fB = 37.17 - 39.25 - 41.82
L = 104.32 - 103.18 - 102.39
D7 = 13.385 - 8.992 - 4.637
D9 = 8.476 - 9.648 - 10.649
面No.             r           d             Nd           ν
1            34.091       1.347        1.71300         53.9
2            16.625       5.511
3            28.774       1.391        1.80420         46.5
4            15.673       0.224        1.52972         42.7
5*           11.700      15.045
6            42.487       1.942        1.80518         25.5
7            84.974          D7
8            36.911       3.187        1.67270         32.2
9          -222.501          D9
10絞             ∞       1.360
11           33.153       3.062        1.49700         81.6
12          -17.822       1.200        1.80610         40.7
13         -434.082       4.000
14         -474.184       1.501        1.75520         27.5
15           30.429       0.550
16           80.069       2.926        1.48749         70.4
17          -22.480       0.000
18          147.854       2.043        1.48749         70.4
19          -32.000           -
＊は非球面を表す。
非球面データ（表示していない非球面係数は0.00である。）；
K          A4                  A6               A8
NO. 5     -1.000   0.2683×10-5      -0.3696×10-7     -0.4415×10-9
ズームレンズ系群データ
群    始面    焦点距離
1       1      -24.62
2       8       47.30
3      11       46.72
有限距離におけるレンズデータ
無限遠                    最短距離
撮影倍率         0          -0.02         -0.128
S       BF            37.17 
D7            13.385        14.228        19.016
D9             8.476         7.632         2.844
倍率             0          -0.02         -0.142
M       BF            39.25 
D7             8.992         9.71         14.236
D9             9.648         8.93          4.405
倍率             0          -0.02         -0.159
L       BF            41.82 
D7             4.637         5.248         9.649
D9            10.649        10.038         5.638
【００３６】
各実施例の各条件式に対する値を表８に示す。
（表８）
条件式（１）  条件式（２）  条件式（３）  条件式（４）
実施例１       -0.43          2.74          0.85          3.20
実施例２       -0.42          3.19          1.22          3.48
実施例３       -0.40          3.17          1.34          3.79
実施例４       -0.48          2.61          0.71          3.26
実施例５       -0.39          2.46          0.66          3.44
実施例６       -0.40          2.94          1.10          3.71
実施例７       -0.52          2.87          0.92          2.91
【００３７】
表８から明らかなように、実施例１ないし７は条件式（１）〜（４）を満足しており、また諸収差図から明らかなように諸収差は比較的よく補正されている。
【図１】
2010204647.tif 000003
【図２】
2010204647.tif 000004
【図３】
2010204647.tif 000005
【図４】
2010204647.tif 000006
【図５】
2010204647.tif 000007
【図６】
2010204647.tif 000008
【図７】
2010204647.tif 000009
【図８】
2010204647.tif 000010
【図９】
2010204647.tif 000011
【図１０】
2010204647.tif 000012
【図１１】
2010204647.tif 000013
【図１２】
2010204647.tif 000014
【図１３】
2010204647.tif 000015
【図１４】
2010204647.tif 000016
【図１５】
2010204647.tif 000017
【図１６】
2010204647.tif 000018
【図１７】
2010204647.tif 000019
【図１８】
2010204647.tif 000020
【図１９】
2010204647.tif 000021
【図２０】
2010204647.tif 000022
【図２１】
2010204647.tif 000023
【図２２】
2010204647.tif 000024
【図２３】
2010204647.tif 000025
【図２４】
2010204647.tif 000026
【図２５】
2010204647.tif 000027
【図２６】
2010204647.tif 000028
【図２７】
2010204647.tif 000029
【図２８】
2010204647.tif 000030
【図２９】
2010204647.tif 000031
【図３０】
2010204647.tif 000032
【図３１】
2010204647.tif 000033
【図３２】
2010204647.tif 000034
【図３３】
2010204647.tif 000035
【図３４】
2010204647.tif 000036
【図３５】
2010204647.tif 000037
【図３６】
2010204647.tif 000038
【図３７】
2010204647.tif 000039
【図３８】
2010204647.tif 000040
【図３９】
2010204647.tif 000041
【図４０】
2010204647.tif 000042
【図４１】
2010204647.tif 000043
【図４２】
2010204647.tif 000044
【図４３】
2010204647.tif 000045